(57)【要約】【課題】容器本体内の粉体を計量カップで自動的に計量して一定量だけ振り出せるようにした粉体用計量容器を提供する。【解決手段】粉体Ｐが入る容器本体１と、容器本体１の上端開口部に嵌合装着される内蓋２と、内蓋２に外嵌装着される外蓋３と、内蓋２の内部に組み込まれる計量カップ５とを備えている。内蓋２の円筒壁１０に取出口１７を設けてあり、外蓋３を回動操作することによって外蓋３で取出口１７を開閉できる。容器本体１の天地を逆にして、容器本体１内の粉体Ｐを計量カップ５に移したのち、取出口１７を開けて容器本体１を傾けると、計量カップ５内の粉体Ｐだけを取出口１７から外部に振り出すことができる。【選択図】図１
0003109902.tif 000002
【実用新案登録請求の範囲】
【請求項１】
粉体（Ｐ）が入る容器本体（１）と、
下面が開口する円筒壁（１０）に、周方向に長い取出口（１７）を有し、円筒壁（１０）の下端部が容器本体（１）の円形の上端開口部に嵌合装着される内蓋（２）と、
取出口（１７）を開閉するために、内蓋（２）に外嵌装着される外蓋（３）と、
内蓋（２）とは別体に形成されて内蓋（２）の内部に組み込まれる上面開口形の計量カップ（５）とを備えており、
容器本体（１）内の粉体（Ｐ）を計量カップ（５）に移したのち、計量カップ（５）内の粉体（Ｐ）を取出口（１７）から外部に一定量だけ振り出せるようにした粉体用容器。
【請求項２】
計量カップ（５）は、上面が開口する角形のカップ本体（２６）の周側壁（２７）のひとつの壁部（２９）が、底面壁（３０）から上方へ行くに従って上拡がり状に傾斜しており、前記周側壁（２７）の上端に、外向きに張り出すフランジ（３２）が設けられており、
プラスチック製の内蓋（２）の内部には、計量カップ（５）を受け止め支持するための受け枠（３５）が一体に設けられており、
受け枠（３５）は、取出口（１９）の周方向の開口端側に位置して対向する少なくとも一対の受け枠部（３６）・（３６）を含み、
受け枠（３５）内に計量カップ（５）を上方から嵌め込んだ状態において、前記受け枠部（３６）・（３６）に前記フランジ（３２）が受け止められて、計量カップ（５）の前記傾斜壁部（２９）の上端が前記取出口（１７）に臨んでおり、
前記受け枠（３５）に計量カップ（５）のカップ本体（２６）を浮き外れ不能に支持する固定手段を有する請求項１記載の粉体用容器。
【請求項３】
外蓋（３）は、内蓋（２）の上面を覆う円形の天板（１５）と、天板（１５）の外周につながり内蓋（２）の円筒壁（１０）に回動自在に外嵌する円形周壁（１６）とを含むプラスチック成形品であり、
円形周壁（１６）に、前記取出口（１７）に対応する開口（１９）が設けられている請求項２記載の粉体用容器。
【請求項４】
内蓋（２）は上面壁（９）を有し、上面壁（９）には、これの外側上方から受け枠（３５）に計量カップ（５）を組み付けるための開口部（２０）が設けられている請求項３記載の粉体用容器。
【請求項５】
外蓋（３）の天板（１５）の内面に、前記開口部（２０）を介して内蓋（２）の内部に突出する摺り切り板（４２）が設けられており、
内蓋（２）に対して外蓋（３）を回動操作することに伴い、摺り切り板（４２）で計量カップ（５）の上面に盛り上がった粉体（Ｐ）の余剰部分を計量カップ（５）外に振り払えるようになっている請求項４記載の粉体用容器。
【請求項６】
内蓋（２）の上面壁（９）と、外蓋（３）の天板（１５）との間に、内蓋（２）に対する外蓋（３）の回動領域を一定範囲に規定するための手段を備えている請求項３または４記載の粉体用容器。
【請求項７】
内蓋（２）に対して外蓋（３）を回動自在に、しかし上方への抜け止めを図って一体化するための抜け止め手段を備えており、
前記抜け止め手段が、内蓋（２）の上面壁（９）の中央に設けた係合孔（２１）と、外蓋（３）の天板（１５）の内面中央に突設されて係合孔（２１）に上方へは抜け止め状に嵌入係合する係合軸（２２）とからなる請求項６記載の粉体用容器。
【請求項８】
内蓋（２）の円筒壁（１０）の外周面には、上下方向の中間部位に、容器本体（１）の胴壁（７）の開口上端縁に受け止められる環状の鍔（１１）が突出形成されており、
内蓋（２）は、円筒壁（１０）の鍔（１１）よりも下方部分が容器本体（１）の胴壁（７）の上端開口部に内嵌して抜け止め状に係止されており、
内蓋（２）には、円筒壁（１０）の鍔（１１）よりも上方部分に、外蓋（３）の円形周壁（１６）が外嵌しているとともに、前記取出口（１７）が貫通状に設けられている請求項７記載の粉体用容器。
【請求項９】
内蓋（２）の受け枠（３５）には、一対の前記受け枠部（３６）・（３６）の外側と内蓋（２）の内周面との間にわたって仕切り板（４１）・（４１）が設けられており、
容器本体（１）を傾けて取出口（１７）から粉体（Ｐ）を振り出す際に、前記仕切り板（４１）・（４１）で受け枠部（３６）・（３６）の外側方から計量カップ（５）に粉体（Ｐ）が流入するのを規制している請求項８記載の粉体用容器。
【考案の詳細な説明】
【技術分野】
【０００１】
本考案は、調味料や粉せっけんなどの粉体を入れる粉体用容器に係り、１回ごとの振り出し量を規定できるようにしたものである。
【背景技術】
【０００２】
粉体が入った容器本体を傾けることにより、容器本体の上端開口部を閉じるキャップから容器本体内の粉体を一定量だけ振り出せるように粉体用容器は、例えば特許文献１〜４に公知である。
【０００３】
【特許文献１】実開昭５７−７７１７７号公報（第４図）
【特許文献２】実開昭５９−７２２８０号公報
【特許文献３】実開昭５１−９８２３８号公報
【特許文献４】実開昭５０−１２３６６０号公報
【考案の開示】
【考案が解決しようとする課題】
【０００４】
従来のこの種の粉体用容器は、前記キャップに計量部を設けておき、容器本体の天地を逆にして容器本体内の粉体を計量部に移したのち、計量部から粉体のみを外部に振り出すことを狙っている。
【０００５】
しかし、前記計量部がキャップ内に一体にプラスチック成形された形態では、キャップの内部構造が徒に複雑化し、製作コストが高く付く。粉体の振り出し量を微妙に変えたい場合に、計量部の容量が異なるキャップを数種類用意しなければならない不利がある。
【０００６】
また、容器本体の天地を逆にして前記計量部に容器本体内の粉体を移した際に、計量部の開口上面に粉体が盛り上がる状態で入り込み、１回の粉体の振り出し量にバラつきが出やすい。容器本体を傾けて、計量部から粉体を取り出す際に、容器本体内の粉体までもが同時に振り出される、といった不具合があった。
【０００７】
そこで本考案の目的は、容器本体の上端開口部を閉じるキャップに別体の計量カップを組み込む形式にし、計量カップの容量のみを自在に変更できるようにして、安価に提供できて使い捨てにも適った粉体用容器を提供するにある。
【０００８】
本考案の目的は、使い勝手が良くて、粉体の振り出し量にバラつきがない高精度の粉体用容器を提供するにある。
【課題を解決するための手段】
【０００９】
本考案に係る粉体用容器は、図１に示すごとく粉体Ｐが入る容器本体１と、下面が開口する円筒壁１０に、周方向に長い取出口１７を有し、円筒壁１０の下端部が容器本体１の円形の上端開口部に嵌合装着される内蓋２と、取出口１７を開閉するために、内蓋２に外嵌装着される外蓋３と、内蓋２とは別体に形成されて内蓋２の内部に組み込まれる上面開口形の計量カップ５とを備えており、容器本体１内の粉体Ｐを計量カップ５に移したのち、計量カップ５内の粉体Ｐを取出口１７から外部に一定量だけ振り出せるようにしてある。ここでの容器本体１の胴壁７は円筒形であることを要しない。計量カップ５は、内蓋２に対して接着剤で接着固定されていてもよい。
【００１０】
具体的にみると、計量カップ５は、上面が開口する角形のカップ本体２６の周側壁２７のひとつの壁部２９が、底面壁３０から上方へ行くに従って上拡がり状に傾斜しており、前記周側壁２７の上端に、外向きに張り出すフランジ３２が設けられている。内蓋２はプラスチック成形し、その内部には、計量カップ５を受け止め支持するための受け枠３５が一体に設けられている。その受け枠３５は、図１および図３に示すごとく、取出口１９の周方向の開口端側に位置して対向する少なくとも一対の受け枠部３６・３６を含む。受け枠３５内に計量カップ５を上方から嵌め込んだ状態において、前記受け枠部３６・３６に前記フランジ３２が受け止められて、計量カップ５の前記傾斜壁部２９の上端が図２に示すごとく前記取出口１７に臨んでいる。前記受け枠３５には、計量カップ５のカップ本体２６を浮き外れ不能に支持する固定手段を有する。その固定手段としては、止め孔３９と突起４０とを例示したが、受け枠３５にカップ本体２６を接着固定する形式でもよい。
【００１１】
外蓋３は、内蓋２の上面を覆う円形の天板１５と、天板１５の外周につながり内蓋２の円筒壁１０に回動自在に外嵌する円形周壁１６とを含むプラスチック成形品とし、円形周壁１６に、前記取出口１７に対応する開口１９を設けることができる。この開口１９は、図示例のごとく円形周壁１６に貫通状に設けられていてもよいし、切り欠き形成されていてもよい。
【００１２】
内蓋２は上面壁９を有し、上面壁９には、これの外側上方から受け枠３５に計量カップ５を組み付けるための開口部２０が設けられている。この開口部２０によって、アンダーカットを生じることなく内蓋２内に前記受け枠３５を成形できるようにもなる。
【００１３】
外蓋３の天板１５の内面には、前記開口部２０を介して内蓋２の内部に突出する摺り切り板４２が設けられている。これによれば、図４に示すごとく内蓋２に対して外蓋３を回動操作することに伴い、摺り切り板４２で計量カップ５の上面に盛り上がった粉体Ｐの余剰部分を計量カップ５外に振り払うことができる。
【００１４】
内蓋２の上面壁９と、外蓋３の天板１５との間には、内蓋２に対する外蓋３の回動領域を一定範囲に規定するための手段を備えている。図１および図４に示す長孔２３と突起２５とが、その規定手段に該当する。
【００１５】
内蓋２に対して外蓋３を回動自在に、しかし上方への抜け止めを図って一体化するための抜け止め手段を備えている。この抜け止め手段としては、図１および図４に示すごとく内蓋２の上面壁９の中央に設けた係合孔２１と、外蓋３の天板１５の内面中央に突設されて係合孔２１に上方へは抜け止め状に嵌入係合する係合軸２２とからなるものにすることができる。
【００１６】
内蓋２の円筒壁１０の外周面には、上下方向の中間部位に、容器本体１の胴壁７の開口上端縁に受け止められる環状の鍔１１を突出形成する。かくして内蓋２は、図２に示すごとく、円筒壁１０の鍔１１よりも下方部分を容器本体１の胴壁７の上端開口部に内嵌して抜け止め状に係止する。そして、内蓋２の円筒壁１０の鍔１１よりも上方部分に、外蓋３の円形周壁１６が外嵌しているとともに、前記取出口１７が貫通状に設けられている。
【００１７】
内蓋２の受け枠３５には、図１および図３に示すごとく、一対の前記受け枠部３６・３６の外側と内蓋２の内周面との間にわたって仕切り板４１・４１が設けられている。これによれば、容器本体１を傾けて取出口１７から粉体Ｐを振り出す際に、前記仕切り板４１・４１で受け枠部３６・３６の外側方から計量カップ５に粉体Ｐが流入するのを規制することができる。
【考案の効果】
【００１８】
請求項１記載の本考案によれば、容器本体１の天地をほぼ逆の状態にすると、内蓋２内の計量カップ５に容器本体１内の粉体Ｐを移すことができる。次に、容器本体１を傾けることにより、内蓋２の取出口１７から計量カップ５内の粉体Ｐを外部に振り出せる。計量カップ５は、内蓋２とは別体に形成されて内蓋２の内部に組み込まれる。したがって、内蓋２や外蓋３は共有しながらも、計量カップ５のみ大小に変更するだけで、粉体Ｐを所望通りの量に規定して振り出すことができ、全体として安価に製造できる。
【００１９】
請求項２記載の本考案によれば、プラスラチック製の内蓋２の内部に、受け枠３５を一体に成形しておき、この受け枠３５に計量カップ５を上方から嵌め込み、受け枠３５の受け枠部３６・３６で計量カップ５のフランジ３２を受け止めて、受け枠３５に計量カップ５を固定する。したがって、内蓋２に計量カップ５を簡単かつ確実に後組みできる。計量カップ５は、カップ本体２６の周側壁２７のひとつの壁部２９を傾斜状に形成してあり、この傾斜壁部２９の上端が内蓋２の取出口１７に臨むようにしてあるから、容器本体１を傾けたとき、傾斜壁部２９を利用して計量カップ５内の粉体Ｐの全量を取出口１７から外部へ円滑に振り出すことができる。
【００２０】
請求項３記載の本考案によれば、外蓋３は天板１５と円形周壁１６とで内蓋２の上面と円筒壁１０の外周とをカバーしているので、外観上の体裁が良い。そのうえで内蓋２に対して外蓋３を回動自在とし、外蓋３の円形周壁１６に開口１９を設けたので、不使用時などには内蓋２の取出口１７を該円形周壁１６で閉じておき、容器本体１内の粉体Ｐを取り出すときには、外蓋３を回して前記開口１９が取出口１７に合致するようにするだけでよく、使い勝手が良い。
【００２１】
請求項４記載の本考案によれば、内蓋２の上面壁９に開口部２０を設けてあるので、この開口部２０を介して内蓋２内に計量カップ５を支障なく上方から落とし込んで組み付けることができる。前記開口部２０は、内蓋２に前記受け枠３５を一体にプラスチック成形するとき、アンダーカットを生じることなく内蓋２を成形するのにも有利に働く。内蓋２の上面壁９の上方外側は外蓋３の天板１５で覆われているので、前記開口部２０が目障りになることもなく、容器本体１を天地が逆になるようにした場合にも、容器本体１内の粉体Ｐが外部に洩出するのを防止できる。
【００２２】
請求項５記載の本考案によれば、外蓋３の天板１５の内面に摺り切り板４２を設け、摺り切り板４２が内蓋２の内部に前記開口部２０を利用して突出している。したがって、前記取出口１７を開けるために、外蓋３を回動操作したとき、計量カップ５の上面に粉体Ｐが余分に盛り上がる状態で入っていても、摺り切り板４２で計量カップ５上の粉体Ｐの盛り上がり部分を摺り切ることができるので、計量カップ５で正しく計量した粉体Ｐだけを振り出せることになる。
【００２３】
請求項６記載の本考案によれば、内蓋２に対する外蓋３の回動範囲が一定領域に規定されているので、外蓋３側の開口１９を内蓋２側の取出口１７に合致させる操作が容易に行える。例えば、外蓋３を右側の限界位置にまで回動操作すると、外蓋３の円形周壁１６で取出口１７を全閉し、外蓋３を左側の限界位置にまで回動操作すると、取出口１７を全開状態にすることができる。
【００２４】
請求項７記載の本考案によれば、内蓋２に対する外蓋３の抜け止め手段として、内蓋２の上面壁９の中央に設けた係合孔２１に、外蓋３の天板１５の内面中央に突設した係合軸２２が上方へは抜け止め状に嵌入係合する仕様としたので、内蓋２に対して外蓋３を回動自在としながらも確実に一体化できる。
【００２５】
請求項８記載の本考案によれば、内蓋２の円筒壁１０の外周面に環状の鍔１１を突出形成し、該円筒壁１０の鍔１１よりも下方部分を容器本体１の胴壁７の上端開口部に内嵌して係止し、この状態で鍔１１を胴壁７の開口上端縁で受け止める。そのうえで、内蓋２の円筒壁１０の鍔１１よりも上方部分に外蓋３の円形周壁１６が外嵌する仕様とした。したがって、容器本体１の開口上端縁に内蓋２を介して外蓋３を外側へ出っ張らないようにスッキリした外観形態を以て装着できる。多くの場合、容器本体１の円形の胴壁７と外蓋３の円形周壁１６とを面一状にすることができる。
【００２６】
請求項９記載の本考案によれば、容器本体１を傾けて計量カップ５内の粉体Ｐを振り出す際に、仕切り板４１・４１で容器本体１内の粉体Ｐまでもが取出口１７から外部へ同時に振り出されることを規制するので、計量カップ５内の粉体Ｐだけを正しい規定量で取り出すことができる。
【考案を実施するための最良の形態】
【００２７】
（実施例１）  図１ないし図５は、本考案に係る粉体用容器の実施例１を示しており、粉体Ｐを収容する容器本体１と、容器本体１の上端開口部に装着される内蓋２と、内蓋２に外嵌装着される外蓋３と、内蓋２の内部に組み込まれる計量カップ５とを含み、容器本体１の天地を逆にして容器本体１内の粉体Ｐをいったん計量カップ５に移したのち、容器本体１を傾けることにより、計量カップ５に移した粉体Ｐを容器外に一定量だけ振り出せるようにしたものである。内蓋２、外蓋３、計量カップ５は、いずれもプラスチック成形品である。
【００２８】
容器本体１は、底壁６の外周から円形の胴壁７が立ち上げ連設された縦長の有底円筒形状に形成されており、上端開口部が広口に形成されていて該上端開口部を介して容器本体１内に粉体Ｐが出し入れできる。粉体Ｐとしては、例えば粉末調味料を予測している。
【００２９】
内蓋２は、円形の上面壁９の外周から円筒壁１０が下向きに連設されて下面が開口している。円筒壁１０の外周面には、上下方向の中間部位、具体的には下端寄り部位に環状の鍔１１が突出形成されている。
【００３０】
かくして、内蓋２は、図３に示すごとく鍔１１が容器本体１の胴壁７の開口上端縁に受け止められる状態で、内蓋２の円筒壁１０の鍔１１よりも下方部分が、容器本体１の胴壁７の上端開口部に内嵌して抜け止め状に係止している。その係止手段としては、胴壁７の内周面に凹条溝１２を設け、内蓋２の円筒壁１０の外周面に、凹条溝１２に嵌係合する突条１３を突設してあり、凹条溝１２と突条１３との係合によって内蓋２は、容器本体１に対して不用意には上方へ抜け外れないように、しかし無理抜きは可能であるように装着される。
【００３１】
外蓋３は、内蓋２の上面を覆う天板１５と、天板１５の外周につながる円筒周壁１６とを有して下面が開口する円形の短筒状に形成されており、円形周壁１６が内蓋２の円筒壁１０の鍔１１よりも上方部分において密着状態で回転できるよう外嵌している。
【００３２】
容器本体１内の粉体Ｐを外部に振り出すために、内蓋２の円筒壁１０には、前記鍔１１よりも上方に位置する部位にひとつの取出口１７が貫通状に設けられている。取出口１７は周方向に長い長孔になっている。
【００３３】
内蓋２の取出口１７は外蓋３で開閉する。そのために、外蓋３の円形周壁１６には、取出口１７に対応する開口１９が形成されている。図の開口１９は、取出口１７よりも一回り大きくて周方向に長い長孔として貫通状に形成した。内蓋２に対して外蓋３を周方向に回動操作することにより、前記開口１９が取出口１７に合致すると容器本体１内の粉体Ｐを外部に導出でき、取出口１７の外面を外蓋３の円形周壁１６で塞ぐことにより容器本体１内の粉体Ｐが不用意に外部へ出ることを防止する。
【００３４】
内蓋２に対して外蓋３は、回動操作可能としながらも不離一体に結合する。そのために、内蓋２の上面壁９には、計量カップ５の組み付け用開口部２０を設ける一方、上面壁９の中央に係合孔２１を貫通状に設ける。外蓋３の天板１５の内面中央には係合軸２２を突設する。かくして係合軸２２を係合孔２１に上方へは抜け止めを図って嵌入係合してあり、内蓋２に対して外蓋３は係合軸２２まわりに回動操作できる。
【００３５】
内蓋２の上面壁９と、外蓋３の天板１５との間には、内蓋２に対する外蓋３の回動領域を一定範囲に規定するための手段を備えている。図示例の規定手段としては、図１および図４に示すごとく内蓋２の上面壁９に部分円形の長孔２３を設ける一方、外蓋３の天板１５の内面に該長孔２３にスライド嵌合する突起２５を設けた。これにより、内蓋２に対して外蓋３を右または左の回動限界まで回動操作すれば、内蓋２の前記取出口１７が外蓋３で最小の回動範囲内で開閉できるようになっている。
【００３６】
計量カップ５は、内蓋２とは別体にプラスチック成形されて内蓋２の内部に前記開口部２０を利用して上方から後組みされる。その計量カップ５は、角形のカップ本体２６の周側壁２７のひとつの壁部２９が、底面壁３０から上方へ行くに従って上拡がり状に傾斜しており、前記傾斜壁部２９を除く前記周側壁２７の上端に、フランジ３２が外向きに張り出し形成されている。具体的には、前記周側壁２７に対向する壁部分であって、一端が前記傾斜壁部２９につながる対向壁部３１・３１の上端と、対向壁部３１・３１の他端どうしをつなぐ連結壁部３３の上端とにわたって、フランジ３２が平面視でコ字形状に形成されている。
【００３７】
内蓋２の内部には、計量カップ５を受け止め支持するための受け枠３５が一体に設けられている。その受け枠３５は、取出口１７の周方向の開口端側に位置して平行に対向する左右一対の水平な受け枠部３６・３６を含む。各受け枠部３６の一端は、取出口１７の周方向の開口端近くにおいて内蓋２の円筒壁１０に片持ち状に連設されており、両受け枠部３６・３６の他端どうしが連結枠部３７でつながっており、受け枠３５の全体は平面視でコ字形状に形成されている。
【００３８】
計量カップ５は前記開口部２０を利用して受け枠３５内に内蓋２の上方から嵌め込んだ状態において、前記受け枠部３６・３６および連結枠部３７に前記フランジ３２が受け止められて、計量カップ５の傾斜壁部２９の上端が前記取出口１７に臨む。この状態で前記受け枠３５に計量カップ５が固定手段を介して浮き外れ不能に支持固定される。計量カップ５の傾斜壁部２９の上端は、内蓋２の内周面の凹曲面形状に添うよう凸面状に形成してある。
【００３９】
受け枠３５に対する計量カップ５の固定手段としては、計量カップ５のフランジ３２に止め孔３９を設け、受け枠３５の各受け枠部３６および連結枠部３７の上面に突起４０をそれぞれ突設し、止め孔３９に突起４０を抜け止め状に嵌合係止している。
【００４０】
本案容器の使用に際しては、内蓋２の取出口１７を外蓋３の円形周壁１６で閉じた状態において、容器本体１の天地をいったん逆にしたのち元に戻す。これで容器本体１内の粉体Ｐは計量カップ５に満杯状態で入る筈である。次に、内蓋２に対して外蓋３を前記係合軸２２まわりに回動操作し、外蓋３の前記開口１９を内蓋２の取出口１７に合致させたのち、容器本体１を傾けて計量カップ５内の粉体Ｐを取出口１７および開口１９から外部に取り出すことになる。
【００４１】
このとき、容器本体１内の粉体Ｐが計量カップ５まわりから余分に取り出されることを防ぐ必要がある。そのため、内蓋２の受け枠３５には、一対の前記受け枠部３６・３６の外側と内蓋２の内周面との間にわたって仕切り板４１・４１が設けられている。この仕切り板４１・４１は、前記受け枠部３６・３６から内蓋２の内周面にわたって斜め下方に向けて傾斜している。しかるときは、容器本体１を傾けて取出口１７から粉体Ｐを振り出す際に、前記仕切り板４１・４１は、受け枠部３６・３６の外側方から計量カップ５に粉体Ｐが流入するのを規制する。したがって、計量カップ５内の粉体Ｐだけが、容器本体１外に取り出されることになる。
【００４２】
容器本体１内の粉体Ｐを前述の容量で計量カップ５に移すとき、計量カップ５に粉体Ｐが盛り上がった状態で必要以上に入り込むことがある。これを規制するために、外蓋３の天板１５の内面には、内蓋２の内部に前記開口部２０を介して突出する摺り切り板４２が設けられている。これによれば、取出口１７を開放するために内蓋２に対して外蓋３を回動操作することに伴い、摺り切り板４２で計量カップ５の上面に盛り上がった粉体Ｐの余剰部分を計量カップ５の外方へ自動的に振り払うことができ、正しく計量カップ５の容量分だけ粉体Ｐを振り出せる。
【００４３】
（実施例２）  図６は、内蓋２に対する計量カップ５の組み付け手段を変更した本考案の実施例２を示す。そこでは、計量カップ５に左右一対のフック腕５０・５０を設けて、各フック腕５０を内蓋２の円筒壁１０の上端縁に掛け止めることにより、計量カップ５を内蓋２に支持固定している。
【００４４】
具体的には、計量カップ５の前記フランジ３２において傾斜壁部２９の左右端に位置する前端部位に、左右一対のフック腕５０・５０を立ち上げ連設する。そして計量カップ５の対向壁部３１・３１に対応するフランジ３２の部分から仕切り板４１・４１を斜め下方に向けて連出する。
【００４５】
内蓋２の円筒壁１０の前記開口部２０に臨む開口上端縁には、取出口１７の周方向の両端に対応する位置に係合凹部５１・５１を設ける。かくして、内蓋２の内部に開口部２０を介して計量カップ５を落とし込み、各フック腕５０・５０の上端フック部５２・５２を係合凹部５１・５１にそれぞれ掛け止める。このとき、各仕切り板４１の連出端は内蓋２の円筒壁１０の内周面に密着している。内蓋２と各仕切り板４１の連出端とは密着する状態で必要に応じて接着剤で接着固定することができる。
【００４６】
この実施例２によれば、内蓋２に外蓋３を被せ付けたとき、外蓋３の天板１５の内面が各フック腕５０の上端フック部５２を押さえ付け、内蓋２内において計量カップ５が浮き上がるのを規制する。その他の点は、実施例１と実質的に同様であるから、同一部材には同一符号を付して説明を省略する。
【００４７】
（実施例３）  図７は本考案の実施例３を示しており、外蓋３の円形周壁１６の一部にシャッタ５３が上下スライド可能に付設されている。ここではシャッタ５３を上下操作することにより、取出口１７を開閉できる。この場合の外蓋３は内蓋２に対して回動自在に連結されていることを要しない。
【００４８】
（実施例４）  図８は本考案の実施例４を示しており、この場合は外蓋３の円形周壁１６にヒンジ５５を介してヒンジ蓋５６を揺動自在に付設し、ヒンジ蓋５６を揺動操作することで、取出口１７を開閉できるようにした。
【図面の簡単な説明】
【００４９】
【図１】実施例１の構成部材の分解斜視図
【図２】実施例１の縦断側面図
【図３】図２におけるＡ−Ａ線断面図
【図４】図２におけるＢ−Ｂ線断面図
【図５】実施例１の使用方法を説明する縦断側面図
【図６】実施例２の構成部材の分解斜視図
【図７】実施例３の要部の縦断側面図
【図８】実施例４の要部の縦断側面図
【符号の説明】
【００５０】
Ｐ  粉体
１  容器本体
２  内蓋
３  外蓋
５  計量カップ
６  容器本体の底壁
７  容器本体の胴壁
９  内蓋の上面壁
１１  内蓋の鍔
１５  外蓋の天板
１６  外蓋の円形周壁
１７  取出口
１９  開口
２０  開口部
２１  係合孔
２２  係合軸
２６  カップ本体
２７  カップ本体の周側壁
２９  カップ本体の傾斜壁部
３１  カップ本体の対向壁部
３２  フランジ
３５  受け枠
３６  受け枠の受け枠部
４１  仕切り板
４２  摺り切り板
【図１】
0003109902.tif 000003
【図２】
0003109902.tif 000004
【図３】
0003109902.tif 000005
【図４】
0003109902.tif 000006
【図５】
0003109902.tif 000007
【図６】
0003109902.tif 000008
【図７】
0003109902.tif 000009
【図８】
0003109902.tif 000010